(57)【要約】      （修正有）【課題】コンクリートブロックの組積作業をより安全かつ効率化するとともに、十分で均一な鉄筋かぶり厚を確保することができる配筋支持具及びコンクリートブロックの組積方法を提供する。【解決手段】補助部材は横筋用のコンクリートブロックの表面上部及び裏面上部の平端部に渡設配置され横筋２０を支持する横筋支持部材１と、横筋用のコンクリートブロックの表上部及び裏上部の平端部に渡設配置され縦筋２２を支持する縦筋支持部材１０とから構成されており、横筋支持部材１は、略直角形状に屈曲しコンクリートブロックの表面上に載置される掛止部が両端に形成され、両端の掛止部が連接部材によって連接され、当該連接部材の略中央には横筋２０を支持するための凹部が形成されており、又、前記縦筋支持部材１０は、略直角形状に屈曲した掛止部が両端に形成され、連接部材には縦筋２２を支持するための半円形状を有する切欠部が形成されている。【選択図】図４
2015017434.tif 000002
【特許請求の範囲】
【請求項１】
コンクリートブロックの組積工程に用いられる補助部材であって、当該補助部材は横筋用のコンクリートブロックの表面上部及び裏面上部の平端部に渡設配置され横筋を支持する横筋支持部材と、横筋用のコンクリートブロックの表上部及び裏上部の平端部に渡設配置され縦筋を支持する縦筋支持部材とから構成されており、前記横筋支持部材は、略直角形状に屈曲しコンクリートブロックの表面上に載置される掛止部が両端に形成され、当該両端の掛止部が連接部材によって連接され、当該連接部材の略中央には横筋を支持するための凹部が形成されており、又、前記縦筋支持部材は、略直角形状に屈曲した掛止部が両端に形成され、当該両端の掛止部が連接部材によって連接され、当該連接部材には縦筋を支持するための半円形状を有する切欠部が形成されていることを特徴とする配筋支持具。
【請求項２】
前記横筋支持部材における連接部材が略中央に形成された凹部に向って上方へ傾斜していることを特徴とする請求項１記載の配筋支持具。
【請求項３】
前記連接部材が一枚の平板を加工した形状であることを特徴とする請求項１又は２に記載された配筋支持具。
【請求項４】
コンクリートブロックの組積方法において、横筋が配置される横筋用のコンクリートブロックの列に、略直角形状に屈曲した掛止部が両端に形成され、当該両端の掛止部が連接部材によって連接され、当該連接部材の略中央には横筋を支持するための凹部が形成されている横筋支持部材における掛止部を、横筋用のコンクリートブロックの表上部及び裏上部の表面上の平端部に渡設配置し、又、略直角形状に屈曲した掛止部が両端に形成され、当該両端の掛止部が連接部材によって連接され、当該連接部材には縦筋を支持するための半円形状を有する切欠部が形成されている縦筋支持部材における掛止部を、横筋用のコンクリートブロックの表面上部及び裏面上部の平端部に渡設配置し、前記複数の横筋支持部材における凹部に横筋を配筋し、前記縦筋支持部材における切欠部に縦筋を配筋した後、モルタルを充填することを特徴とするコンクリートブロックの組積方法。
【発明の詳細な説明】
【技術分野】
【０００１】
本発明は、ブロック塀等を施工するコンクリートブロックの組積方法に使用される横筋及び縦筋を支持する補助部材に関し、特にコンクリートブロックの組積作業をより安全かつ効率化するとともに、十分で均一な鉄筋かぶり厚を確保することができる配筋支持具及び当該配筋支持具を用いたコンクリートブロックの組積方法に関する。
【背景技術】
【０００２】
土地を区画するブロック塀等を施工する際にコンクリートブロックの組積方法が用いられている。かかるコンクリートブロックの組積方法としては、横筋と縦筋を配筋し、コンクリートブロックの目地にモルタル等を充填し、上下左右にコンクリートブロックを組積施工する工法が一般的に知られている（特許文献１）。このような工法において、縦筋は横からの力に抵抗を有しブロック塀の倒壊を防ぐ機能を有し、横筋はブロック塀の長さ方向を平滑に一体とする機能を有している。
【０００３】
現在のコンクリートブロックの組積方法は、基本ブロックと横筋用のコンクリートブロック等を組み積んで施工するのが一般的である。すなわち、横筋用のコンクリートブロックを横方向に等間隔を空けて並設した後、横筋と縦筋を配設した後にモルタルをコンクリートブロックの空洞部、鉄筋の周囲や隣り合うブロック間の縦目地部分に充填される。このようなモルタルは、コンクリートブロックの接合のみならず、鉄筋の外周面を被覆し、鉄筋の錆を防止する上で重要な役割を担っている。
ここで、現在施工されているコンクリートブロックの組積方法では、横筋の配筋や縦筋の配筋に高度な技術が必要である。すなわち、横筋は横筋用のコンクリートブロックの上部に設けられた凹部に配筋することになるが、モルタルが硬化するまで外力によってずれるおそれがある。又、縦筋は基礎から立ち上げるのであるが、垂直に固定するのが難しく、作業員が縦筋を支えながらモルタルを充填するといった煩雑な作業が必要である。
【０００４】
更に、横筋は横筋用のコンクリートブロックの中央に設けられた溝の上に配設する場合、コンクリートブロックと鉄筋が直接当接することになるため、かぶり厚を確保することができず、雨水等による浸食によって、鉄筋が錆びるという問題があった。ここで、かぶり厚とはコンクリートブロックの表面から鉄筋の表面までの距離のことである。鉄筋はアルカリ性のコンクリートによって錆が防止されているが、コンクリートの経年劣化によって、コンクリートが中性化したり、コンクリートにひび割れが生じ、そこから水分が入り込んむことによって、鉄筋に錆が生じ、設計強度を維持することが困難となるのである。そこで従来、十分なかぶり厚を確保するために、予め横筋を結束金具によって縦筋に結束することによって、コンクリートブロックから横筋を浮かすことによって、モルタルで横筋を覆う施工方法も知られていた。
しかし、このような結束金具を使用した場合には、縦筋と縦筋の間に張り渡された横筋の中央部分が自重によって撓んでしまい、横筋をモルタルで覆った場合に均一で安定したかぶり厚さが得られないという問題がある。
【先行技術文献】
【特許文献】
【０００５】
【特許文献１】特開平９−１７７３８０号公報
【発明の概要】
【発明が解決しようとする課題】
【０００６】
本発明は、コンクリートブロックの組積作業をより安全かつ効率化するとともに、十分で均一な鉄筋かぶり厚を確保することができる配筋支持具及び当該配筋支持具を用いたコンクリートブロックの組積方法を提供することを目的とする。
【課題を解決するための手段】
【０００７】
本発明者は、上記課題を解決するために以下の構成を有した配筋支持具及びコンクリートブロックの組積方法を発明した。
（１）コンクリートブロックの組積工程に用いられる補助部材であって、当該補助部材は横筋用のコンクリートブロックの表面上部及び裏面上部の平端部に渡設配置され横筋を支持する横筋支持部材と、横筋用のコンクリートブロックの表上部及び裏上部の平端部に渡設配置され縦筋を支持する縦筋支持部材とから構成されており、前記横筋支持部材は、略直角形状に屈曲しコンクリートブロックの表面上に載置される掛止部が両端に形成され、当該両端の掛止部が連接部材によって連接され、当該連接部材の略中央には横筋を支持するための凹部が形成されており、又、前記縦筋支持部材は、略直角形状に屈曲した掛止部が両端に形成され、当該両端の掛止部が連接部材によって連接され、当該連接部材には縦筋を支持するための半円形状を有する切欠部が形成されていることを特徴とする配筋支持具である。
【０００８】
（２）前記横筋支持部材における連接部材が略中央に形成された凹部に向って上方へ傾斜していることを特徴とする上記（１）記載の配筋支持具である。
（３）前記連接部材が一枚の平板を加工した形状であることを特徴とする上記（１）又は（２）に記載された配筋支持具である。
（４）コンクリートブロックの組積方法において、横筋が配置される横筋用ブロックの列に、略直角形状に屈曲した掛止部が両端に形成され、当該両端の掛止部が連接部材によって連接され、当該連接部材の略中央には横筋を支持するための凹部が形成されている横筋支持部材における掛止部を、横筋用ブロックの表上部及び裏上部の表面上の平端部に渡設配置し、又、略直角形状に屈曲した掛止部が両端に形成され、当該両端の掛止部が連接部材によって連接され、当該連接部材には縦筋を支持するための半円形状を有する切欠部が形成されている縦筋支持部材における掛止部を、横筋用ブロックの表面上部及び裏面上部の平端部に渡設配置し、前記複数の横筋支持部材における凹部に横筋を配筋し、前記縦筋支持部材における切欠部に縦筋を配筋した後、モルタルを充填することを特徴とするコンクリートブロックの組積方法である。
【発明の効果】
【０００９】
本発明に係る配筋支持具及び当該配筋支持具を用いたコンクリートブロックの組積方法は、コンクリートブロックの組積作業をより安全かつ効率化することができ、十分で均一な鉄筋かぶり厚を確保できるという優れた効果を奏する。
【図面の簡単な説明】
【００１０】
【図１】本発明の実施形態１に係る横筋支持部材の一例を示す図である。（ａ）は平面図、（ｂ）は正面図、（ｃ）は側面図である。
【図２】本発明の実施形態１に係る縦筋支持部材の一例を示す図である。（ａ）は平面図、（ｂ）は正面図、（ｃ）は側面図である。
【図３】本発明の実施形態２に係るコンクリートブロックの組積方法を説明するための斜視図である。
【図４】本発明の実施形態２に係るコンクリートブロックの組積方法を説明するための斜視図である。
【発明を実施するための最良の形態】
【００１１】
以下に本発明の実施形態を図面に則して説明する。以下に示す実施形態は、本発明の一例であって、本発明が以下の態様に限定されるものではない。
実施形態１
本発明に係る配筋支持具は、コンクリートブロックの組積工程に用いられる補助部材である。かかる配筋支持具は、横筋支持部材と縦筋支持部材とから構成されている。
横筋支持部材は、横筋用のコンクリートブロックの表上部及び裏上部の平端部に渡設配置され横筋を支持するために使用される。
図１は、本発明の実施形態１に係る横筋支持部材の一例を示す図である。（ａ）は平面図、（ｂ）は正面図、（ｃ）は側面図である。  図１（ａ）及び（ｃ）に示す如く、本発明に用いられる横筋支持部材１は、掛止部３，４と、連接部材６と、凹部７とから構成されている。本実施形態１に係る横筋支持部材１は一枚の平板を加工して作成できる。
【００１２】
図１（ｂ）に示す如く、掛止部３，４は、略直角形状に屈曲しており、図示しない横筋用のコンクリートブロックの表上部及び裏上部の平端部に、引っ掛けることができる。
かかる両端の掛止部は、連接部材６，６によって連接されている。そして、かかる連接部材６，６の中央には、図示しない横筋を支持するための断面半球状の凹部７が形成されている。かかる凹部７によって横筋を支持することができるため、横筋の中央部分や複数箇所を横筋支持部材１によって支持することにより、横筋の撓みを防止するとともに、横筋のずれを防止することができる。
更に、前記横筋支持部材１は、図１（ｂ）に示す如く、連接部材６が中央に形成された凹部７に向って上方へ傾斜している。このような傾斜をつけることによって、コンクリートブロックの表面から横筋を離間して配筋することができる。そのため、上下のコンクリートブロックから均等に横筋を配筋することも可能になるため、均一で安定したかぶり厚を十分に確保する事ができる。
【００１３】
次に縦筋支持部材について説明する。縦筋支持部材は、横筋用の隣接する２つのコンクリートブロックの間であって、コンクリートブロックの表上部及び裏上部の平端部に渡設配置され縦筋を支持するために使用される。
図２は、本発明の実施形態１に係る縦筋支持部材１０の一例を示す図である。（ａ）は平面図、（ｂ）は正面図、（ｃ）は側面図である。図２（ｂ）に示す如く、縦筋支持部材１０は、直角形状に屈曲した掛止部１３，１４が両端に形成され、当該両端の掛止部１３，１４が連接部材１６によって連接されている。図２（ａ）に示す如く、かかる連接部材１６には、図示しない縦筋を支持するための半円形状を有する切欠部１７が形成されている。かかる切欠部１７によって縦筋を支持することができるため、縦筋支持部材１０によって縦筋の複数箇所を支持することにより、縦筋の撓みを防止するとともに、従来必要とされていた作業員が縦筋を支えながらモルタルを充填するといった煩雑な作業が不要となる。又、隣接するコンクリートブロックの中央に縦筋支持部材１０を渡設配置することによって、隣接するコンクリートブロックから均等に縦筋を配筋することが可能になるため、均一で安定したかぶり厚を十分に確保する事ができる。
【００１４】
上記の横筋支持部材及び縦筋支持部材は、鋼材、樹脂材及び木材で形成することができる。鋼材としては、マルテンサイト系ステンレス鋼、フェライト系ステンレス鋼、オーステナイト系ステンレス鋼、オーステナイト・フェライト二相ステンレス鋼、析出硬化ステンレス鋼等のステンレス鋼や、マンガン鋼、珪素鋼、クロム鋼、クロムモリブデン鋼、ニッケルクロム鋼、ニッケルクロムモリブデン鋼、マンガンモリブデン鋼等を用いることができる。
樹脂材としては、フェノール樹脂、エポキシ樹脂、メラミン樹脂、ユリア樹脂、不飽和ポリエステル樹脂、アルキド樹脂、ポリウレタン、熱硬化性ポリイミド等の熱硬化性樹脂が挙げられる。又、ポリエチレン、高密度ポリエチレン、中密度ポリエチレン、低密度ポリエチレン、ポリプロピレン、ポリ塩化ビニル、ポリ塩化ビニリデン、ポリスチレン、ポリ酢酸ビニル、テフロン−ポリテトラフルオロエチレン、ＡＢＳ樹脂、ＡＳ樹脂，アクリル樹脂等の熱可塑性樹脂が挙げられる。更に、ポリアミド、ナイロン、ポリカーボネート、ポリブチレンテレフタレート、ポリエチレンテレフタレート、グラスファイバー強化ポリエチレンテレフタレート、ガラス繊維強化プラスチック、炭素繊維強化プラスチック等が挙げられる。
【００１５】
実施形態２
図３及び４は、本発明の実施形態２に係るコンクリートブロックの組積方法を説明するための斜視図である。
まずコンクリートの打設により施工される基礎コンクリートを配置する。基礎コンクリートは、基礎地に所定長さで、所定の幅と深さの溝を掘り、この溝に砕石等を敷いて下地を整えてから突き固め、枠板を嵌め込み、その後、コンクリートを打設して施工される。
その後、この基礎コンクリート上に、基本ブロックを配置し、更に、図３に示す如く、複数の横筋が配置される横筋用のコンクリートブロックＢ１，Ｂ２を組積する。隣接するコンクリートブロックＢ１，Ｂ２には、所定の隙間が設けられている。
次に、コンクリートブロックＢ１，Ｂ２に、直角形状に屈曲した掛止部が両端に形成され、当該両端の掛止部が連接部材によって連接され、当該連接部材の略中央には横筋を支持するための凹部が形成されている横筋支持部材１における掛止部を、コンクリートブロックＢ１，Ｂ２の表上部及び裏上部の表面上の平端部に渡設配置する。横筋支持部材１は任意の間隔で配筋することができる。実施形態２においては、一つのブロックに２体ずつ配置さいている。これにより横筋を撓ますことなく配筋することができる。更に、直角形状に屈曲した掛止部が両端に形成され、当該両端の掛止部が連接部材によって連接され、当該連接部材には縦筋を支持するための半円形状を有する切欠部が形成されている縦筋支持部材１０における掛止部を、隣接するコンクリートブロックＢ１及びＢ２の間であって、コンクリートブロックＢ１及びＢ２の表上部及び裏上部の平端部に渡設配置する。
【００１６】
その後、図４に示す如く、前記複数の横筋支持部材１における凹部に横筋２０を配筋する。そして、前記縦筋支持部材１０における切欠部に縦筋２２，２２を配筋する。
実施形態２においては、コンクリートブロック一つおきに上方に延出した形で縦筋２２を配筋する。実施形態２において、縦筋２２の太さは直径１０ｍｍのものを使用する。
その後、コンクリートブロックＢ１，Ｂ２の凹部と隣接するコンクリートブロックとの隙間に設けられた空間にモルタルを充填する。
図４に示す如く、コンクリートブロックの凹部と横筋２０との間には所定の間隔が形成されており、そこにモルタルを充填することができる。そのため、上下のコンクリートブロックから均等に横筋２０を配筋し、横筋２０を完全にモルタルで被覆することが可能になるため、均一で安定したかぶり厚を確保する事ができる。
更に、縦筋支持部材１０の切欠部によって縦筋２２を支持することができるため、従来必要とされていた作業員が縦筋を支えながらモルタルを充填するといった煩雑な作業が不要となる。又、隣接するコンクリートブロックの中央に縦筋支持部材１０を渡設配置することによって、隣接するコンクリートブロックから均等に縦筋２２を配筋することが可能になるため、均一で安定したかぶり厚を確保する事ができる。
【符号の説明】
【００１７】
１    横筋支持部材
３，４  掛止部
６    連接部材
７    凹部
１０  縦筋支持部材
１３，１４  掛止部
１６  連接部材
１７  切欠部
Ｂ    横筋用のコンクリートブロック
２０  横筋
２２  縦筋
【図１】
2015017434.tif 000003
【図２】
2015017434.tif 000004
【図３】
2015017434.tif 000005
【図４】
2015017434.tif 000006